(57)【要約】【課題】撮影モードを切り替えることなく動画撮影及び静止画撮影の双方に必要な指示を受け付けるシャッターボタンを備えた撮像装置を提供する。【解決手段】モードダイヤル９４によって動画・静止画並列記録モードが設定されており、シャッターボタン８０を第３の押下位置Ｓ３へ押下すると、動画記録がまず開始する（Ｓ２３）。この後、一旦シャッターボタン８０を初期位置Ｓ０に復帰させ、さらにシャッターボタン８０を第２の押下位置Ｓ２に押し込むと（Ｓ２８で“Ｙ”）、動画記録中（Ｓ２９で“Ｙ”）に静止画記録動作がスタートする（Ｓ３０）。合わせて、動画撮影中に記録された静止画を特定するマーキング情報が、静止画が記録されたタイミングで記録された動画ファイルの再生フレームに対応づけて記録される。【選択図】  図８
2006109405.tif 000002
【特許請求の範囲】
【請求項１】
撮影レンズを介して入射された被写体光に基づく画像データを出力する撮像部と、
前記撮像部の出力した画像データに基づいて動画を記録媒体に記録する動画記録部と、
前記撮像部の出力した画像データに基づいて静止画を記録媒体に記録する静止画記録部と、
第１又は第２の押下位置のいずれかへの押下操作を受け付ける操作スイッチと、
前記第１の押下位置に前記操作スイッチが押下された場合、前記静止画を記録媒体に記録するよう前記静止画記録部を制御し、かつ前記第２の押下位置に前記操作スイッチが押下された場合、前記動画の記録開始又は停止を行うよう前記動画記録部を制御する記録制御部と、
を備える撮像装置。
【請求項２】
前記操作スイッチは第１乃至第３の押下位置のいずれかへの押下操作を受け付け、
前記記録制御部は前記第１又は第２の押下位置に前記操作スイッチが押下された場合、前記静止画を記録媒体に記録するよう前記静止画記録部を制御し、かつ前記第３の押下位置に前記操作スイッチが押下された場合、前記動画の記録開始又は停止を行うよう前記動画記録部を制御する請求項１に記載の撮像装置。
【請求項３】
前記記録制御部は、前記第１の押下位置に前記操作スイッチが押下された場合、前記被写体の撮像準備を行うよう前記撮像部を制御し、かつ前記第２の押下位置に前記操作スイッチが押下された場合、前記静止画を記録媒体に記録するよう前記静止画記録部を制御する請求項２に記載の撮像装置。
【請求項４】
前記記録制御部は、前記動画の記録中に前記第２の押下位置に前記操作スイッチが押下された場合、前記第２の押下位置に前記操作スイッチが押下されたタイミングで記録される動画のフレームの画像データと同一の画像データに基づいて前記静止画を記録するよう前記静止画記録部を制御する請求項３に記載の撮像装置。
【請求項５】
前記動画記録部は前記第２の押下位置に前記操作スイッチが押下されたタイミングで記録される動画のフレームに前記静止画を特定するマーキング情報を対応づけて記録する請求項４に記載の撮像装置。
【請求項６】
前記マーキング情報は音声データを含む請求項５に記載の撮像装置。
【請求項７】
動画を記録するステップと、
前記動画の記録中に静止画を記録するステップと、
前記動画の記録中に記録された静止画を特定するマーキング情報を、前記静止画を記録したタイミングで記録された動画のフレームに対応づけて記録するステップと、
前記記録された動画を表示装置に再生表示させるとともに、現在再生されている動画のフレームに対応するマーキング情報に基づいて静止画を特定し、前記特定された静止画を前記表示装置に表示させるステップと、
を含む画像再生方法。
【請求項８】
前記マーキング情報は音声データを含み、
現在再生されている動画のフレームに対応するマーキング情報の音声データに基づいて音声を再生するステップをさらに含む請求項７に記載の画像再生方法。
【発明の詳細な説明】
【技術分野】
【０００１】
本発明は撮像装置及び画像再生方法に係り、特に動画撮影中に静止画撮影の可能な撮像装置及び動画撮影中に記録した静止画を動画とともに再生する方法に関する。
【背景技術】
【０００２】
従来、動画撮影中に静止画撮影の可能な撮像装置が様々考案されている。例えば特許文献１によると、動画記録中に与えられる静止画記録要求に呼応してＣＣＤで撮像された静止画撮影画像をフレームメモリに記憶する。そして、所定時間の間、フレームメモリにＣＣＤからの画像の取り込みを禁止し、この間にフレームメモリの画像を繰り返し読み出して、静止画撮影画像を動画としてメモリカードに記録する。また、かかる動画処理の合間に、フレームメモリの画像を静止画としてメモリカードに記録する。静止画記録時間が終了すると禁止が解除され、通常の動画記録が再開される。閃光装置の充電はＣＣＤからの信号電荷の読み出し期間以外のタイミングで行われる。
【特許文献１】特開２０００−３２４４３４号公報
【発明の開示】
【発明が解決しようとする課題】
【０００３】
ところで、通常、カメラのレリーズスイッチは２段構成であり、軽く押して止める「半押し」（Ｓ１）の状態で自動ピント合わせ（ＡＦ）及び自動露出制御（ＡＥ）が作動し、「半押し」から更に押し込む「全押し」（Ｓ２）の状態を指示する録画ボタンとして兼用される。特許文献１の技術では、動画の撮影記録中に静止画を撮影するのであるが、何らかの手段により動画の撮影記録開始を指示した後、カメラのレリーズスイッチやリモコン装置のレリーズボタンなどを押下して静止画記録要求を指示する必要がある。本発明はこのような問題点に鑑みてなされたもので、撮影モードを切り替えることなく、単一の操作スイッチのみで、動画撮影及び静止画撮影の双方に必要な指示を受け付けることのできる撮像装置を提供することを目的とする。
【課題を解決するための手段】
【０００４】
上述の課題を解決するため、本願発明に係る撮像装置は、撮影レンズを介して入射された被写体光に基づく画像データを出力する撮像部と、前記撮像部の出力した画像データに基づいて動画を記録媒体に記録する動画記録部と、前記撮像部の出力した画像データに基づいて静止画を記録媒体に記録する静止画記録部と、第１又は第２の押下位置のいずれかへの押下操作を受け付ける操作スイッチと、前記第１の押下位置に前記操作スイッチが押下された場合、前記静止画を記録媒体に記録するよう前記静止画記録部を制御し、かつ前記第２の押下位置に前記操作スイッチが押下された場合、前記動画の記録開始又は停止を行うよう前記動画記録部を制御する記録制御部と、を備える。
【０００５】
この発明によると、操作スイッチを第１の押下位置に押下すれば静止画が記録され、さらに、第２の押下位置に押下すれば動画の記録が開始するか停止する。即ち、撮影モードを切り替えることなく操作スイッチの押下のみで静止画の記録と動画の記録の指示の双方を入力することができる。なお、自動ピント合わせ（ＡＦ）や自動露出制御（ＡＥ）を含む撮影準備の指示は、この操作スイッチ以外の操作手段、例えばタッチパネルから入力できるようにするとよい。
【０００６】
前記操作スイッチは第１乃至第３の押下位置のいずれかへの押下操作を受け付け、前記記録制御部は前記第１又は第２の押下位置に前記操作スイッチが押下された場合、前記静止画を記録媒体に記録するよう前記静止画記録部を制御し、かつ前記第３の押下位置に前記操作スイッチが押下された場合、前記動画の記録開始又は停止を行うよう前記動画記録部を制御するようにしてもよい。
【０００７】
この撮像装置は第１乃至第３の押下位置のいずれかへの押下操作を受け付ける操作スイッチを備えており、第１又は第２の押下位置に操作スイッチを押下すると静止画を記録できる。また、第３の押下位置に操作スイッチを押下すると動画の記録を開始または停止できる。
【０００８】
記録制御部は、第１の押下位置に操作スイッチが押下された場合、被写体の撮像準備を行うよう撮像部を制御し、かつ第２の押下位置に操作スイッチが押下された場合、静止画を記録媒体に記録するよう静止画記録部を制御してもよい。
【０００９】
撮影準備とは自動ピント合わせ（ＡＦ）及び自動露出制御（ＡＥ）を含む。
【００１０】
記録制御部は、動画の記録中に第２の押下位置に操作スイッチが押下された場合、第２の押下位置に操作スイッチが押下されたタイミングで記録される動画のフレームの画像データと同一の画像データに基づいて静止画を記録するよう静止画記録部を制御してもよい。
【００１１】
動画記録部は第２の押下位置に操作スイッチが押下されたタイミングで記録される動画のフレームに静止画を特定するマーキング情報を対応づけて記録してもよい。また、マーキング情報は音声データを含んでもよい。
【００１２】
本願発明に係る画像再生方法は、上述のマーキング情報を利用して、動画の撮影中に撮影した静止画を動画と同時に再生させることができる。この画像再生方法は、動画を記録するステップと、動画の記録中に静止画を記録するステップと、動画の記録中に記録された静止画を特定するマーキング情報を、静止画を記録したタイミングで記録された動画のフレームに対応づけて記録するステップと、記録された動画を表示装置に再生表示させるとともに、現在再生されている動画のフレームに対応するマーキング情報に基づいて静止画を特定し、特定された静止画を表示装置に表示させるステップと、を含む。
【００１３】
本願発明に係る画像再生方法は、現在再生されている動画のフレームに対応するマーキング情報に基づいて静止画を特定し、特定された静止画を動画とともに表示装置に表示させる。これにより、動画と該動画の撮影中に並行して撮影した静止画の同時鑑賞が可能になる。
【００１４】
マーキング情報は音声データを含み、現在再生されている動画のフレームに対応するマーキング情報の音声データに基づいて音声を再生するステップをさらに含んでいてもよい。
【００１５】
こうすれば、動画と該動画の撮影中に並行して撮影した静止画の撮影タイミングを動画再生中に音声で知らせることができる。
【００１６】
これらの画像再生方法をコンピュータに実行させるためのプログラムも本発明に含めることができる。
【発明の効果】
【００１７】
本願発明に係る撮像装置によると、操作スイッチを第１の押下位置に押下すれば静止画が記録され、さらに、第２の押下位置に押下すれば動画の記録が開始するか停止する。即ち、単一の操作スイッチの押下位置を変えるだけで、静止画記録と動画の記録開始・終了が指示でき、撮影モードを逐一変更する操作が不要となる。
【００１８】
また、本願発明に係る画像再生方法は、現在再生されている動画のフレームに対応するマーキング情報に基づいて静止画を特定し、特定された静止画を動画とともに表示装置に表示させる。これにより、動画と該動画の撮影中に並行して撮影した静止画の同時鑑賞が可能になる。
【発明を実施するための最良の形態】
【００１９】
以下、添付した図面を参照し本発明の好ましい実施の形態を説明する。
【００２０】
＜第１実施形態＞
［概略構成］
図１〜３は、本発明の好ましい実施形態に係るカメラ１０の外観斜視図である。このカメラ１０は、ズームレンズ１２を備えたデジタルカメラであり、カメラ本体から前方へ突出したレンズ部１４と本体側部のグリップ部２２を撮影者が確実に保持して、撮影ブレを防止できる大きさと形状を有している。ズームレンズ１２の前面略中央には円形の凹部１２ａが形成されている。凹部１２ａには、撮影を行っていないときにレンズ１２の外部側表面を覆い隠すことによりレンズ１２を保護するレンズバリア（図示省略）が設けられている。レンズバリアは開閉自在であり、開くとレンズ１２の外部側表面が露出し、閉じるとレンズ１２の外部側表面を覆う。レンズバリアの開閉は後述のレンズバリアモータ１６６により駆動される。
【００２１】
カメラ上部にはポップアップ式のストロボ１６が設けられ、ストロボ発光部の横にはストロボ調光センサ１８が設けられている。符号４０は、ストロボ１６を利用可能状態の位置にポップアップさせるストロボポップアップボタンである。グリップ部２２上面にはシャッターボタン８０が配置され、セルフタイマーランプ２０はグリップ部２２の前面に設けられている。
【００２２】
レンズ１４にはフォーカス・ズームリング（以下ＦＺリングという）２４が設けられており、マニュアルフォーカスモード（ＭＦ）時に撮影者がＦＺリング２４を手で回動操作すると、手動によるピント調整を行うことができる。あるいは、コンティニュアスオートフォーカス（Ｃ−ＡＦ）モード若しくはシングルオートフォーカス（Ｓ−ＡＦ）モード時に撮影者がＦＺリング２４を手で回動操作すると、手動による光学ズーム調整を行うことができる。ＭＦ／Ｃ−ＡＦ／Ｓ−ＡＦモードの切り換えは、モード切換スイッチ３０で行う。
【００２３】
カメラ１０の側面には、Ｃ−ＡＦモード、Ｓ−ＡＦモード又はＭＦモードを選択するモード切換スイッチ３０、ズームキー３２、情報ボタン３４、露出補正ボタン３６、及びホワイトバランス調整ボタン３８等が配設されている。これら各操作部は、撮影者がカメラ１０のレンズ部１４を保持した左手の親指で操作できる位置に設けられている。
【００２４】
ズームキー３２は、ズームレンズ１２の焦点距離の調節と電子ズーム機能による拡大／縮小の指示に兼用される操作部である。ズームキー３２は、カメラ１０の前後方向に傾動するシーソー型スイッチ構造を有し、傾動方向に応じてズームレンズ１２の焦点距離をテレ側及びワイド側へ変更できる。ズームキー３２の前側部分（Ｔキー）が押されると、テレ方向（拡大方向）にズーム制御され、ズームキー３２の後側部分（Ｗキー）が押されると、ワイド方向（縮小方向）にズーム制御される。なお、ＴキーとＷキーを分離して別々の方向とすることも可能である。
【００２５】
モード切換スイッチ３０がＣ−ＡＦモード又はＳ−ＡＦモード側に選択されると、ＦＺリング２４を手で回動操作して手動による光学ズーム調整を行うことができる。一例として、カメラ１０背面から見てＦＺリング２４を右側に回動するとテレ方向（拡大方向）にズーム制御され、ＦＺリング２４を左側に回動すると、ワイド方向（縮小方向）に光学ズーム制御される。回動方向とテレ方向／ワイド方向の関係は上記と逆でもよい。
【００２６】
情報ボタン３４は、撮影時の撮影条件をワンタッチでカメラ１０の液晶モニタ６８（図２参照）に表示させる指示を与える手段である。露出補正ボタン３６は、撮影画像の露出補正量を指示するときに使用され、ホワイトバランス調節ボタン３８は、ホワイトバランスの設定を変更するときに使用される。
【００２７】
カメラ１０側面に設けられている端子カバー４２を開けると、他の電子機器と情報の送受信を行うための通信コネクタ（例えばＵＳＢ端子）４４、映像信号を送受信する映像出力端子４６、外部から電源を供給する際に利用する電源入力端子４８が設けられている。
【００２８】
図２は、カメラ１０の背面側斜視図である。カメラ背面には、ファインダー５０及び液晶モニタ６８が設けられ、操作部として、十字キー５２、メニュー／実行ボタン５４、キャンセル／戻るボタン５６、表示ボタン５８、シフトボタン６０、表示切換ボタン６２、拡大表示ボタン６４、並びにＡＥロックの指示を入力するＡＥ固定ボタン６６等が設けられている。
【００２９】
ファインダー５０は、電子ビューファインダーで構成されるが、このファインダー５０を光学式ファインダーに置換する態様も可能である。液晶モニタ６８は、撮影時に画角確認用の電子ファインダーとして使用できるとともに、撮影した画像のプレビュー画やメモリカード等の外部記録装置から読み出した再生画像等を表示する表示手段である。また、十字キー５２やコマンドダイヤル９６（図３参照）を使用したメニューの選択や各メニューにおける各種項目の設定なども液晶モニタ６８の表示画面を用いて行われる。更に液晶モニタ６８には、撮影可能枚数（コマ数）や再生コマ番号の表示、マクロモード表示、記録画質（クオリティー）表示、画素数表示等の情報を表示することができる。
【００３０】
撮影者はファインダー５０又は液晶モニタ６８に映し出される映像を見て画角を調整することができる。表示切換ボタン６２には、画像や情報の表示先としてファインダー５０を使用するか液晶モニタ６８を使用するかを切り換える指示を入力する操作部である。
【００３１】
十字キー５２は、上下左右のいずれかの縁部を押圧することによって、対応する４方向（上下左右）の指示を入力できるように構成された多機能キーであり、メニュー画面における各種設定項目の選択や、設定内容の変更を指示する操作キーとして使用されるとともに、ズームレンズ１２の焦点距離調整（テレ／ワイド操作）、電子ズームの倍率調整、ズーム中心の移動指示、再生コマの送り／戻しを指示する手段として用いられる。なお、十字キー５２は、一つの操作部材が上下左右に傾動するタイプでもよいし、上下左右の４つのキーが別々に設けられていてもよい。
【００３２】
メニュー／実行ボタン５４は、各モードの通常画面からメニュー画面へ遷移させる時、あるいは選択内容の確定、処理の実行指示の時などに使用される。キャンセル／戻るボタン５６は、処理のキャンセル又は処理を以前の状態に戻すことを指定する手段であり、メニューから選んだ項目の取消や一つ前の操作状態に戻す時などに使用される。
【００３３】
表示ボタン５８は、液晶モニタ６８をＯＮ／ＯＦＦ操作したり、再生中のコマ番号等の表示／非表示を切り換えるための手段である。シフトボタン６０は、十字キー５２などの多機能キーの機能を拡張するためのプッシュスイッチである。拡大表示ボタン６４は、被写体に対する合焦状態を確認するために画面の一部（例えば、画面中心部）を拡大表示させる指示を行う操作ボタンである。
【００３４】
カメラ背面に設けられた操作部のうち、シフトボタン６０は、他の操作ボタン（キー）との同時押しの必要に鑑み、撮影者が左手で操作できる位置に設けられているが、シフトボタン６０以外の操作部（５２、５４、５６、５８、６２、６４、６６）は、撮影者がグリップ部２２を把持した右手の親指で操作できる位置に設けられている。
【００３５】
グリップ部２２のあるカメラ側部にはスロットカバー７０が開閉自在に設けられており、カバー内部には、外部記録装置を装着するメディアスロット（不図示）が設けられている。また、カメラ１０の底面には、図示せぬ電池を装着する部分を覆う電池カバー７２及び三脚用ねじ穴７４が設けられている。
【００３６】
図３は、ストロボ１６と鏡胴１５を収納した状態のカメラ１０の斜視図である。カメラ１０の上面には、シャッターボタン８０、電源スイッチ８２、モードレバー８４、ストロボ１６の発光モード又は発光禁止を指示するストロボボタン８６、マクロ（近距離撮影）モードの設定又は解除を指示するマクロボタン８８、セルフタイマーボタン９０、連写モードの設定又は解除を指示する連写ボタン９２、モードダイアル９４、及び各種モードを設定するコマンドダイヤル９６が設けられている。
【００３７】
シャッターボタン８０は、画像の記録開始を指示する手段である。図５に示すように、本発明のシャッターボタン８０は、第１の押下位置Ｓ１、第２の押下位置Ｓ２、第３の押下位置Ｓ３の３段の位置に押し込むことができる。シャッターボタン８０を軽く押して第１の押下位置Ｓ１でシャッターボタン８０の押下の深さ（ストローク）を止める（半押し）と、スイッチＳＷ１がオンになる。次に、シャッターボタン８０が第１の押下位置Ｓ１から第２の押下位置Ｓ２まで更に押し込んでストロークが止められる（全押し）と、スイッチＳＷ２がオンになる。さらに、シャッターボタン８０が第２の押下位置Ｓ２から第３の押下位置Ｓ３まで更に押し込んでストロークが止められると、スイッチＳＷ３がオンになる。
【００３８】
モードレバー８４は、カメラ１０を撮影又は再生の各モードに設定する手段である。モードレバー８４は、電源スイッチ８２の外周に回動自在に支持されたレバースイッチで構成され、該モードレバー８４の停止位置によってモードを切り換えることができる。
【００３９】
モードダイアル９４は、各種の撮影モードを切り換える手段である。モードダイアル９４を回し、ダイヤル上に描かれた各モードのマークを指標に合わせることにより、セットアップモード、マニュアル撮影モード、絞り優先の撮影モード、シャッター速度優先の撮影モード（通常撮影モード）、夜景、人物、遠景等の撮影シーンを設定して撮影するシーンセレクトモード、動画記録モード、動画・静止画並行記録モード等のモード選択を行うことができる。
【００４０】
セットアップモードは、例えば記録画像の解像度、圧縮率、シャープネス、記録色、日付、ビープ音の有無等の設定を行うモードである。なお、画像の記録に関する解像度、圧縮率などは、撮影モードにおけるメニュー画面からも設定できる。マニュアル撮影モードに設定したときは、露出やストロボの発光量あるいはフォーカスなどを全て手動で設定することができる。
【００４１】
図４は、カメラ１０の内部構成を示すブロック図である。ズームレンズ１２を含む光学ユニット１００の後方にはＣＣＤ等の固体撮像素子１０２が配置されており、ズームレンズ１２を通過した光は、固体撮像素子１０２に入射する。固体撮像素子１０２の受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、撮像回路１０６に加えられる。
【００４２】
撮像回路１０６は、ゲイン調整回路及びＡ／Ｄ変換器を含み、撮像回路１０６を通してデジタル信号に変換された画像データは、画像処理回路１０８及びハイパスフィルタ（ＨＰＦ）１２５へ送られる。画像処理回路１０８は、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部、トリミング処理回路等を含む画像処理手段であり、ＲＩＳＣ（Reduced Instruction Set Computer）などで構成される処理部１１０からのコマンドに従って画像信号を処理する。
【００４３】
画像処理回路１０８に入力された画像データは、輝度信号（Ｙ信号）及び色差信号（Ｃｒ、Ｃｂ信号）に変換されるとともに、ガンマ補正等の所定の処理が施された後、メモリ１１２に格納される。メモリ１１２に記憶された画像データは、処理部１１０の指令に従って読み出され、ＮＴＳＣ方式などの所定の信号形式に変換された後、表示部１１４に出力される。表示部１１４は、カメラ１０に内蔵されたファインダー５０、液晶モニタ６８に接続された外部の表示装置に相当する。なお、処理部１１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１１４に供給される。これにより、スルー画像や再生画像に文字やアイコン等が合成された合成画像が表示される。
【００４４】
固体撮像素子１０２から出力される画像信号によってメモリ１１２内の画像データが定期的に書き換えられ、その画像データから生成される映像信号が表示部１１４に供給されることにより、固体撮像素子１０２を介して撮像される画像がリアルタイムに表示部１１４に表示される。
【００４５】
モードレバー８４によって撮影モードが選択され、モードダイアル９４によって静止画撮影のモードが選択された状態で、シャッターボタン８０が押下されると撮影開始指示信号が発せられる。即ち、図示せぬフォーカス駆動部を制御してフォーカス動作を行うとともに、固体撮像素子１０２の電荷蓄積時間（いわゆる電子シャッター）を制御することにより露出制御を行う。
【００４６】
シャッターボタン８０の操作に応じて、静止画処理回路１７４はメモリ１１２に記憶された画像データを読み出し、所定の処理を施した後、必要に応じて圧縮処理し、所定の形式の静止画ファイル（Ｅｘｉｆファイルなど）に変換し、メディアＩ／Ｆ１７５を介して外部記録装置１１６に記録する。
【００４７】
外部記録装置１１６は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００４８】
モードダイアル９４によって動画記録モードが設定されたときには、シャッターボタン８０の押下に応じて動画処理回路１７３がメモリ１１２に記憶された画像データを読み出して動画データに変換して外部記録装置１１６に記録する。もう一度シャッターボタン８０を押下すると動画データの記録が停止する。シャッターボタン８０を押下継続している期間、記録動作を行い、押下解除によって記録を停止するようにしてもよい。動画データは所定のファイル形式、例えばモーションＪＰＥＧ形式によって外部記録装置１１６に記録される。
【００４９】
モードレバー８４によって再生モードが設定されると、外部記録装置１１６から画像ファイルが読み出される。読み出された画像データは、画像処理回路１０８において伸張処理され、表示部１１４に出力される。
【００５０】
一方、撮像回路１０６のＡ／Ｄ変換部でデジタル信号に変換された画像データは、ＨＰＦ１２５でＧ画素成分のみ抽出される。そして、積算処理部１２６で抽出されたＧ画素成分に積算処理が施されて処理部１１０に送られる。処理部１１０は、積算処理部１２６から送られた１画面分の６４分割の画像データの内、中心付近の４エリアの平均値を算出し、これをオートフォーカス（ＡＦ）評価値とする。ＡＦ評価値は、所定周期の経過毎に算出され、算出の度にメモリ１１２に更新記憶される。
【００５１】
撮影者がモード切換スイッチ３０を操作してＣ−ＡＦ又はＳ−ＡＦモードに切り換え、ＦＺリング２４をテレ方向又はワイド方向に回動させると、処理部１１０は、当該操作に応じてズーム制御回路１２０を制御し、モータ１２２を駆動させる。モータ１２２はＤＣモータが用いられ、モータ１２２に印加する電圧の極性を変えることにより、テレ方向又はワイド方向に駆動できる。モータ１２２の動力が図示せぬギヤその他の動力伝達機構を介して鏡胴１５に伝達されることにより鏡胴１５がカメラ１０本体内に沈胴し又はカメラ１０本体内から出胴することで、ズームレンズ１２がテレ方向又はワイド方向に移動して焦点距離が変更される。
【００５２】
なお、十字キー５２をズーム操作キーとして機能させることもできる。例えば、カメラ１０を水平に保持した状態（横位置）で、十字キー５２の上キーがズームアップキー（Ｔキー）、下キーがズームダウンキー（Ｗキー）として機能させ、ＦＺリング２４に代えて、十字キー５２を操作してズーム駆動してもよい。
【００５３】
カメラ１０には、駆動したズームレンズ１２の位置（ズームポジション）を検出するための手段としてレンズ位置検出回路１２４が設けられており、その検出結果は処理部１１０に通知される。処理部１１０は、レンズ位置検出回路１２４の検出信号に基づいてズーム位置制御を行う。
【００５４】
レンズ位置検出回路１２４は、モータ１２２の回転によりパルスを発生する回路であってもよいし、レンズ鏡胴１５の外周に位置検出エンコード板を配置した態様であってもよく、本発明の実施に際して特に限定されるものではない。
【００５５】
処理部１１０は、カメラ１０の各回路を統括制御する制御部であり、ズームキー３２、シャッターボタン８０、十字キー５２、メニュー／実行ボタン５４、ＦＺリング２４、モード切換スイッチ３０、ズームキー３２、マクロボタン８８、モードレバー８４、モードダイアル９４その他からなる操作部１１３から受信する信号に基づき、対応する回路の動作を制御するとともに、表示部１１４における表示制御、ストロボ発光制御、オートフォーカス（ＡＦ）制御、トリミング範囲の計算及び自動露出（ＡＥ）制御等を行う。
【００５６】
処理部１１０には、キセノン管からなるストロボ発光管１５６の充電及び発光を制御する充電発光制御部１５５も接続されており、静止画撮影において、測光処理部１５７により低照度であることが検出された場合や、ストロボボタン８６によって発光が指示された場合や、強制発光モードが設定された場合に所定のタイミングで短時間（例えば１秒以上の短時間）発光するようにストロボ発光管１５６を制御する。
【００５７】
カメラ１０の電源がオンされる度に、電源１６４から、コンデンサ等を備えるストロボ給電部１６５へ電力供給されて充電が行われ、撮影時のストロボ発光管１５６の発光に備える。そして、充電発光制御部１５５の制御に応じてストロボ給電部１６５からストロボ発光管１５６に電力供給されることでストロボ発光管１５６が発光する。図示しないＡＣアダプタを電源１６４に接続してＡＣアダプタから供給される外部電力をストロボ給電部１６５に供給することも可能である。
【００５８】
画像処理回路１０８からの画像データは、測光処理部１５７にも送られる。この測光処理部１５７は、入力される各画像データと、固体撮像素子１０２の電荷蓄積時間、すなわち電子シャッターのシャッター秒時とに基づいて被写体輝度の測光値（ＥＶ値）を算出する。これにより、固体撮像素子１０２の駆動が調節される。なお、電子シャッターのシャッター秒時とともに絞り値を変化させてもよい。絞り値を変化させる場合には、絞り値を加味して被写体輝度に応じた測光値を算出する。このように、測光処理部１５７は、固体撮像素子１０２を受光センサとしてＴＴＬ（Through The Lens) 測光方式によって被写体の明るさ（被写体輝度）を検出する。
【００５９】
モードレバー８４により再生モードが選択されると、外部記録装置１１６に記録されている最終の画像ファイル（最後に記録されたファイル）の圧縮データが読み出される。最後の記録に係るファイルが静止画ファイルの場合、この読み出された画像圧縮データは、画像処理回路１０８を介して非圧縮のＹＣ信号に伸長され、メモリ１１２に保存される。メモリ１１２に保存されたＹＣ信号は、処理部１１０に加えられる。処理部１１０は、入力するＹＣ信号からＮＴＳＣ方式のカラー複合映像信号を作成し、これを表示部１１４に出力する。これにより、表示部１１４には外部記録装置１１６に記録されている最終コマのコマ画像が表示される。
【００６０】
その後、十字キー５２などで順コマ送りが指示されると、順方向にコマ送りされ、逆コマ送りスイッチが指示されると、逆方向にコマ送りされる。そして、コマ送りされたコマ位置の画像ファイルが外部記録装置１１６から読み出され、上記と同様にしてコマ画像が表示部１１４に再生される。尚、最終コマのコマ画像が表示されている状態で順方向にコマ送りされると、外部記録装置１１６に記録されている１コマ目の画像ファイルが読み出され、１コマ目のコマ画像が表示部１１４に再生される。
【００６１】
音声コントローラ１７１は、外部記録装置１１６の動画ファイルなどに合わせて記録されているモノラル音声データをアナログオーディオ信号へ変換し、スピーカ１７２に出力する。スピーカ１７２はこの信号に従って音声を出力する。音声コントローラ１７１はノイズとなる高い周波数成分をアナログオーディオ信号から除去する処理やアナログオーディオ信号を増幅する処理を行なってもよい。無論、音声コントローラ１７１は、モノラル音声以外の形態（２チャンネルステレオやドルビーデジタル5.1チャンネルなど）に対応させてもよい。
【００６２】
なお、本発明に係る撮像装置の実施形態はデジタルカメラに限られず、カメラ付き携帯電話等であってもよいのは言うまでもない。
【００６３】
［処理の流れ］
以下、図６〜８に示すフローチャートに従い、モードレバー８４ないしモードダイアル９４による各モード設定に応じた静止画撮影、動画撮影、動画・静止画並列撮影ないし動画・静止画再生の流れを説明する。モードダイアル９４を静止画撮影モードに設定すると、図６の静止画撮影処理に移行し、モードダイアル９４を動画撮影モードに設定すると、図７の動画撮影処理に移行し、モードダイアル９４を動画・静止画並列撮影モードに設定すると、図８の動画・静止画並列撮影処理に移行する。また、モードレバー８４を再生モードに設定すると、図９の画像表示処理に移行する。
【００６４】
（静止画撮影処理）
まず、図６に従い静止画撮影処理の流れを説明する。シャッターボタン８０を初期位置Ｓ０（スイッチＳＷ１〜ＳＷ３のいずれもオンになっていない状態で押下を待機する位置）から第１の押下位置Ｓ１（半押し）まで押し込んでストロークを保持することでスイッチＳＷ１がオンになると（ステップＳ１で“Ｙ”）、ステップＳ２に移行して自動ピント合わせ（ＡＦ）及び自動露出制御（ＡＥ）などの静止画撮影準備動作が作動する。シャッターボタン８０を「半押し」から第２の押下位置Ｓ２（全押し）まで更に押し込んでストロークを保持することでスイッチＳＷ２がオンになると（ステップＳ３で“Ｙ”）、ステップＳ４に移行して静止画を記録する。なお、シャッターボタン８０が「全押し」から第３の押下位置Ｓ３まで更に押し込んでストロークを保持することでスイッチＳＷ３がオンになっても、ＡＥ・ＡＦなどの静止画撮影準備動作または静止画録画開始などの静止画記録に関する各種動作は行われず無効な操作となる。ただし、「半押し」から第３の押下位置ＳＷ３までシャッターボタン８０が押し込まれた場合、「全押し」の状態と同様に静止画の録画を開始してもよい。なお、シャッターボタン８０に押圧を加えるのを止めると、バネなどの復元力でシャッターボタン８０の押圧位置は任意の押圧位置Ｓ１〜Ｓ３から初期位置Ｓ０に復帰する。
【００６５】
（動画撮影処理）
次に、図７に従い動画撮影処理の流れを説明する。シャッターボタン８０を初期位置Ｓ０から第３の押下位置Ｓ３まで一挙に押し込んでストロークを保持することでスイッチＳＷ３がオンになると（ステップＳ１１で“Ｙ”）、ステップＳ１２に移行する。ステップＳ１２では、既に動画撮影が開始されているか否かが判断される。動画撮影はまだ開始されていないと判断されると、ステップＳ１３に移行して動画の記録を開始する。一方、既に動画撮影が開始されている場合はステップＳ１４に移行して動画の記録を停止する。
【００６６】
なお、シャッターボタン８０を初期位置Ｓ０から第１の押下位置Ｓ１又は第２の押下位置Ｓ２に押しこんでストロークを保持しても、動画撮影開始・動画撮影終了などの動画撮影に関係する動作は行われない。
【００６７】
動画撮影の開始／終了の制御はスイッチＳＷ３に限る必要はない。即ち、ステップＳ１１でスイッチＳＷ３がオンになったか否かを判断する代わりに、スイッチＳＷ２がオンになったか否かを判断し、スイッチＳＷ２がオンになるとステップＳ１２に移行するようにしてもよい。あるいは、ステップＳ１１ではスイッチＳＷ１がオンになったか否かを判断し、スイッチＳＷ１がオンになるとステップＳ１２に移行するようにしてもよい。
【００６８】
（動画・静止画並列撮影処理）
次に、図８に従い動画・静止画並列撮影処理の流れを説明する。シャッターボタン８０を初期位置Ｓ０から第３の押下位置Ｓ３まで一挙に押し込んでストロークを保持することでスイッチＳＷ３がオンになると（ステップＳ２１で“Ｙ”）、ステップＳ２２に移行する。Ｓ２２では、既に動画撮影が開始されているか否かが判断される。動画撮影がまだ開始されていないと判断されると、ステップＳ２３に移行し、動画処理回路１７３が動画の記録を開始する。一方、既に動画撮影が開始されている場合はステップＳ２４に移行して動画の記録を停止する。
【００６９】
Ｓ２５では、シャッターボタン８０が第１の押下位置Ｓ１まで押し込まれてストロークを保持することでスイッチＳＷ１がオンになっているか否かが判断される。スイッチＳＷ１がオンになっている場合はＳ２６に移行し、スイッチＳＷ１がオンになっていない場合はＳ２８に移行する。
【００７０】
Ｓ２６では、既に動画撮影が開始されているか否かが判断される。動画撮影がまだ開始されていないと判断されると、ステップＳ２８に移行する。一方、既に動画撮影が開始されている場合はステップＳ２７に移行し、上述のステップＳ２と同様の撮影準備動作を作動させる。
【００７１】
Ｓ２８では、シャッターボタン８０が第２の押下位置Ｓ２まで押し込まれてストロークが保持されスイッチＳＷ２がオンになっているか否かが判断される。スイッチＳＷ２がオンになっている場合はＳ２９に移行し、スイッチＳＷ２がオンになっていない場合はＳ２１に戻る。Ｓ２９では、既に動画撮影が開始されているか否かが判断される。動画撮影がまだ開始されていないと判断されるとステップＳ２１に戻る。一方、既に動画撮影が開始されている場合はステップＳ３０に移行する。
【００７２】
ステップＳ３０では、動画記録中に静止画記録動作がスタートする。静止画処理回路１７４は、ＳＷ２がオンとなったタイミングで、メモリ１１２に記憶されている画像データから静止画データを作成し、これを所定のファイル形式に変換して外部記録装置１１６に記録する。静止画処理回路１７４が静止画を記録している最中も、動画処理回路１７３は引き続きメモリ１１２に記憶された画像データを読み出して動画データに変換して外部記録装置１１６に記録する。
【００７３】
一方、動画処理回路１７３は、動画撮影中に記録された静止画を特定するマーキング情報を、静止画が記録されたタイミングで記録された動画ファイルの再生フレームに対応づけて記録する。例えば、動画がＭＰＥＧ２形式ファイルで記録されるとするものとする。ＭＰＥＧ２ファイルは、GOP（Group of pictures）と呼ばれるデータの集まりをつなげた構造になっている。GOPは、静止画に近い情報の「Iピクチャー」、Iピクチャーを参照して動きを予測した情報の「Pピクチャー」、前後のIピクチャーとPピクチャーを参照して動きを予測した情報の「Bピクチャー」の3種類の映像データからなり、これらを規則的に並べることで動画が構成される。第２の押下位置Ｓ２にシャッターボタン８０が押下されて静止画の記録が指示されると、その指示がされたタイミングでメモリ１１２から読み出された画像データから作成したＩピクチャーにマーキング情報が付与される。マーキング情報は、動画の再生フレームに対応する静止画を特定する情報であり、例えば静止画のＥｘｉｆファイル名といった静止画の識別情報を含む。マーキング情報にシャッター音などの音声データをさらに含ませてもよい。
【００７４】
Ｓ３０の静止画記録が終了するとＳ２１に戻る。なお、第１の押下位置Ｓ１、第２の押下位置Ｓ２にあるシャッターボタン８０に押圧を加えるのを止めて再び初期位置Ｓ０に戻せば、動画記録中何度でもＳＷ１・ＳＷ２をオンにして繰り返し撮影準備動作及び静止画記録を行うことができる。
【００７５】
（再生処理）
次に、図９のフローチャートに従い、上記のごとく外部記録装置１１６に記録された動画と静止画をともに再生表示するための画像表示処理の流れを説明する。
【００７６】
Ｓ４１では、外部記録装置１１６から読み取ったＥｘｉｆファイルなどの静止画及びＭＰＥＧ２ファイルなどの動画ファイルをメモリ１１２に記憶する。
【００７７】
Ｓ４２では、操作部１１３への所定操作に応じ、表示部１１４への動画再生表示を開始する。動画は、ファインダー５０又は液晶モニタ６８のいずれか一方に表示すればよいが、説明の便宜上液晶モニタ６８に表示されるものとする。
【００７８】
Ｓ４３では、現在再生表示している動画の再生フレームにマーキング情報が対応づけられているか否かを判断する。マーキング情報が対応づけられている場合はＳ４４に移行し、マーキング情報が対応づけられていない場合はＳ４５に移行する。
【００７９】
Ｓ４４では、現在再生表示している動画の再生フレームに対応づけられているマーキング情報で特定される静止画をメモリ１１２から読み出して液晶モニタ６８に表示する。また、現在再生表示している動画の再生フレームに対応づけられているマーキング情報にシャッター音などの音声データが含まれている場合、音声コントローラ１７１はその音声データをアナログオーディオ信号へ変換し、スピーカ１７２に出力する。
【００８０】
Ｓ４５では、動画が最終フレームまで再生されたか否かを判断する。最終フレームまで再生されていない場合はＳ４２に戻って引き続き動画を再生し、最終フレームまで再生された場合は動画の再生を終了する。
【００８１】
図１０は、Ｓ４４において、現在再生している動画の再生フレームに対応づけられているマーキング情報で特定される静止画が動画とともに液晶モニタ６８に表示されている様子を示す。この図に示すように、液晶モニタ６８には、動画とその再生フレームに対応する静止画の両方が同時に表示されることになり、動画と該動画の撮影中に並行して撮影した静止画の同時鑑賞が可能となる。また、マーキング情報に音声データが含まれている場合、静止画の表示に合わせて音声がスピーカ１７２から再生される。こうすることで静止画が撮影されたタイミングを動画再生中に音声で知らせることができる。
【００８２】
なお、静止画を記録するＥｘｉｆファイルに該静止画を所定の縮小率で縮小したサムネイル画像が記録されていれば、静止画そのものを表示する代わりにサムネイル画像を液晶モニタ６８に表示してもよい。こうすれば静止画の表示スペースが小さくてすむ。あるいは、所定の時間（例えば３秒間）だけ動画の再生を中止した上、静止画のみを液晶モニタ６８に表示してもよい。あるいは、動画だけを再生表示するか、または動画再生中にマーキング情報で特定される静止画を表示するモードを操作部１１３から指定できるようにしてもよい。そして、動画再生中に静止画を表示するモードでは上記のように動画再生中にマーキング情報で特定される静止画を表示する一方、動画だけを再生表示するモードではマーキング情報があっても静止画を表示しないようにし、マーキング情報に音声データが含まれていても音声再生しないようにすればよい。
【００８３】
＜第２実施形態＞
第１実施形態においては、シャッターボタン８０は、第１の押下位置Ｓ１、第２の押下位置Ｓ２、第３の押下位置Ｓ３の３段の構成を有していた。しかし、シャッターボタン８０が２段構成であっても、シャッターボタン８０のみによる動画記録開始・終了及び静止画記録開始の指示入力を行うことは可能である。
【００８４】
図１１は第２実施形態に係るデジタルカメラのブロック図である。このデジタルカメラは、第１実施形態のデジタルカメラの構成において、タッチパネル２１をさらに備えている。このタッチパネル２１は透明な部材であり、液晶モニタ６８に積層されている。タッチパネル２１はそれぞれ縦横方向の各々に沿ってマトリクス状に所定の抵抗値を有しており、ユーザの指などの物体が接触すると上記の抵抗値が変化し、このときの電流値の変化を検出することで物体の接触位置を検出することができる。
【００８５】
また、図１２に示すように、シャッターボタン８０は、従来と同様第１の押下位置Ｓ１、第２の押下位置Ｓ２の２段の位置に押し込むことができる。シャッターボタン８０を軽く押して第１の押下位置Ｓ１でシャッターボタン８０の押下の深さ（ストローク）を止める（半押し）と、スイッチＳＷ１がオンになる。シャッターボタン８０が第１の押下位置Ｓ１から第２の押下位置Ｓ２まで更に押し込んでストロークが止められる（全押し）と、スイッチＳＷ２がオンになる。デジタルカメラのその他の構成は第１実施形態と同様であるので説明は省略する。
【００８６】
デジタルカメラが上記の構成をとる場合、第１実施形態のＳＷ３オンに相当する入力操作が存在しない。このため、以下のように動画撮影処理、動画・静止画並列撮影処理の処理内容の一部を変更する。
【００８７】
まず、動画撮影処理（図７参照）については、第１実施形態で説明したとおり、ステップＳ１１でスイッチＳＷ３がオンになったか否かを判断する代わりに、スイッチＳＷ１がオンになったか否かを判断し、スイッチＳＷ１がオンになるとステップＳ１２に移行すればよい。あるいは、スイッチＳＷ２がオンになったか否かを判断し、スイッチＳＷ２がオンになるとステップＳ１２に移行してもよい。
【００８８】
また、動画・静止画並列撮影処理については、次のようにする。図１３を参照すると、ステップＳ２１においては、スイッチＳＷ２がオンになったか否かを判断し、スイッチＳＷ２がオンになっていればＳ２２へ、スイッチＳＷ２がオンになっていなければＳ２５へ移行する。
【００８９】
また、ステップＳ２５では、タッチパネル２１からＡＦ・ＡＥの開始操作が入力されたか否かを判断する。タッチパネル２１に入力されるＡＦ・ＡＥの開始操作の具体的内容としては、例えば、スルー画像において合焦すべきエリアをタッチパネル２１から指定することが挙げられるが、これに限定する必然性はない。
【００９０】
また、ステップＳ２８では、スイッチＳＷ１がオンになったか否かを判断し、スイッチＳＷ１がオンになっていればＳ２９へ、スイッチＳＷ１がオンになっていなければＳ２１へ移行する。
【００９１】
Ｓ２１，２５，２８以外のステップにおける処理は第１実施形態と同様であるので説明は省略する。
【００９２】
このように、タッチパネル２１によってＡＦ・ＡＥの開始操作を入力できるようにすれば、従来のような２段構成のシャッターボタン８０を備えたデジタルカメラにおいても、本発明に係る動画・静止画並列撮影処理を実行できる。
【００９３】
なお、ＡＦ・ＡＥの開始操作を受け付けるのはタッチパネル２１でなくてもよく、専用の操作スイッチやユーザインターフェイスなどで構成された操作手段をデジタルカメラに設け、そこからＡＦ・ＡＥの開始操作を受け付ければよい。
【図面の簡単な説明】
【００９４】
【図１】本発明の好ましい実施形態に係るデジタルカメラの外観を示す図
【図２】デジタルカメラの背面側斜視図
【図３】デジタルカメラの正面側斜視図
【図４】第１実施形態に係るデジタルカメラのブロック図
【図５】３段の押下位置を有するシャッターボタンの構成図
【図６】静止画撮影処理の流れを示すフローチャート
【図７】動画撮影処理の流れを示すフローチャート
【図８】動画・静止画並列撮影処理の流れを示すフローチャート
【図９】画像表示処理の流れを示すフローチャート
【図１０】動画と静止画の並列表示例を示す図
【図１１】第２実施形態に係るデジタルカメラのブロック図
【図１２】２段の押下位置を有するシャッターボタンの構成図
【図１３】第２実施形態に係る動画・静止画並列撮影処理の流れを示すフローチャート
【符号の説明】
【００９５】
１０：デジタルカメラ、１２：ズームレンズ、１５：鏡胴、２０：セルフタイマーランプ、２４：ＦＺリング、３０：モード切換スイッチ、８８：マクロボタン、１００：光学ユニット、１０２：固体撮像素子、１０６：撮像回路、１０８：画像処理回路、１１０：処理部、１１４：表示部、１２０：ズーム制御部、１２４：レンズ位置検出回路、１６６：レンズバリアモータ
【図１】
2006109405.tif 000003
【図２】
2006109405.tif 000004
【図３】
2006109405.tif 000005
【図４】
2006109405.tif 000006
【図５】
2006109405.tif 000007
【図６】
2006109405.tif 000008
【図７】
2006109405.tif 000009
【図８】
2006109405.tif 000010
【図９】
2006109405.tif 000011
【図１０】
2006109405.tif 000012
【図１１】
2006109405.tif 000013
【図１２】
2006109405.tif 000014
【図１３】
2006109405.tif 000015